(57)【要約】      （修正有）【課題】レジの使用態様の変更に柔軟に対応可能なレジ装置を提供する。【解決手段】台座１００と、当該台座１００の上に設置された本体部２００と、スキャナー３００と、を備えたレジ装置９００であって、本体部２００は、代金入出部２１０を備えると共に、台座１００と本体部２００の間に設けられた下側回転台１５０によって、台座１００上で回転可能に構成されており、スキャナー３００は、本体部２００とスキャナー３００の間に設けられた上側回転台２５０によって、本体部２００上で回転可能に構成されている。【選択図】図１
0003225440.tif 000002
【実用新案登録請求の範囲】
【請求項１】
台座と、当該台座の上に設置された本体部と、スキャナーと、を備えたレジ装置であって、  
前記本体部は、代金入出部を備えると共に、前記台座と前記本体部の間に設けられた下側回転台によって、前記台座上で回転可能に構成されており、
前記スキャナーは、前記本体部と前記スキャナーの間に設けられた上側回転台によって、前記本体部上で回転可能に構成されていることを特徴とするレジ装置。
【請求項２】
前記上側回転台には、レジ店員用モニターと、顧客用モニターが設置されていることを特徴とする請求項１に記載のレジ装置。
【考案の詳細な説明】
【技術分野】
【０００１】
本考案は、店舗等で商品の会計を行うレジ装置に関するものである。
【０００２】
従来から、スーパーマーケット等の店舗では、買い物にきた顧客が購入した商品を、レジ店員がレジ装置のスキャナーにて読み取り、会計を行っていた。具体的には、レジ店員が商品に付されたバーコードをスキャナーにてスキャンし、商品代金の合計金額を顧客に伝える。そして、レジ店員は、顧客から受け取った代金をレジ装置に収容し、お釣りを顧客に渡していた。
【０００３】
ところで近年は、人件費の高騰や働き手不足の影響もあり、レジ店員の削減やレジ店員の負担軽減が求められている。そこで、顧客自身が、商品をスキャンして代金の精算まで行う態様、いわゆる、セルフレジの態様が採用されつつある。更には、レジ店員が商品に付されたバーコードをスキャンするものの、代金の精算は顧客自身が行う態様、いわゆる、セミセルフレジの態様も採用されつつある。しかしながら、店舗側は、セルフレジやセミセルフレジに対応したレジ装置を別途用意しなければならないため、レジの使用態様の変更に柔軟に対応することができないという問題があった。
【考案の概要】
【考案が解決しようとする課題】
【０００４】
そこで、本考案は、上記問題に鑑み、レジの使用態様の変更に柔軟に対応可能なレジ装置を提供する。
【課題を解決するための手段】
【０００５】
上記課題を解決するために、本考案のレジ装置は、台座と、当該台座の上に設置された本体部と、スキャナーと、を備えたレジ装置であって、前記本体部は、代金入出部を備えると共に、前記台座と前記本体部の間に設けられた下側回転台によって、前記台座上で回転可能に構成されており、前記スキャナーは、前記本体部と前記スキャナーの間に設けられた上側回転台によって、前記本体部上で回転可能に構成されていることを特徴とする。
【０００６】
上記特徴により、下側回転台と上側回転台を適宜回転させることで、本体部の代金入出部の向きとスキャナーの向きを適宜変更できることから、レジ装置をセルフレジやセミセルフレジに柔軟に対応させることが出来る。
【０００７】
さらに、本考案のレジ装置は、前記上側回転台には、レジ店員用モニターと、顧客用モニターが設置されていることを特徴とする。
【０００８】
上記特徴により、適宜モニターの向きを変えることができ、セルフレジやセミセルフレジに柔軟に対応することが出来る。
【考案の効果】
【０００９】
上記の本考案によれば、レジの使用態様の変更に柔軟に対応できる。
【図面の簡単な説明】
【００１０】
【図１】本考案のレジ装置の全体斜視図である。
【図２】一般的なレジ装置の使用態様について説明するもので、（ａ）は、レジ装置の平面図、（ｂ）は、レジ装置の側面図である。
【図３】セルフレジの態様について説明するもので、（ａ）は、レジ装置の平面図、（ｂ）は、レジ装置の側面図である。
【図４】セミセルフレジの態様について説明するもので、（ａ）は、レジ装置の平面図、（ｂ）は、レジ装置の側面図である。
【符号の説明】
【００１１】
１００        台座
１５０        下側回転台
２００        本体部
２１０        代金入出部
２５０        上側回転台
３００        スキャナー
９００        レジ装置
【考案を実施するための形態】
【００１２】
以下に、本考案の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本考案は、図面における寸法比率に限定されるものではない。
【００１３】
まず、図１に本考案のレジ装置９００を示す。なお、図１は、レジ装置９００の全体斜視図である。図１に示すように、レジ装置９００は、店内の床面等の上に設置される台座１００と、代金の精算を行う本体部２００と、商品のバーコードをスキャンするスキャナー３００と、レジ店員用モニター４００と、顧客用モニター５００と、ハンドスキャナー６００と、カードリーダー７００を備える。
【００１４】
台座１００は、略立方体形状をしており、床板１２０と周囲を囲む側板１３０と天板１１０とを備える。また、台座１００の手前側は開口しており、内部に物を収容できるようになっている。また、本体部２００は、略直方体形状をしており、手前側に代金入出部２１０が取り付けられている。この代金入出部２１０は、商品の購入代金を精算する際に利用するもので、硬貨を投入する硬貨投入口２１１と、紙幣を投入する紙幣投入口２１２とを備える。また、本体部２００は、投入された金額を清算後、顧客にお釣りを返金するため、お釣りの硬貨を排出する硬貨排出口２１３と、紙幣を排出する紙幣排出口２１４とを備える。さらに、台座１００の天板１１０と本体部２００との間には、下側回転台１５０が設置されている。そして、この下側回転台１５０によって、本体部２００は台座１００の天板１１０上を回転できるようになっている。
【００１５】
また、本体部２００の天板２２０上には、上側回転台２５０が設置されている。さらに、上側回転台２５０上には、商品のバーコードを読み取るスキャナー３００と、レジ店員用モニター４００と、顧客用モニター５００とが設置されている。そして、上側回転台２５０によって、スキャナー３００、レジ店員用モニター４００、及び顧客用モニター５００は、本体部２００の天板２２０上を回転できるようになっている。また、スキャナー３００は、商品に付されたバーコードから情報を読み取る読取面３１０を備える。また、レジ店員用モニター４００の画面４１０と顧客用モニター５００の画面５１０は、互いに反対側を向いているので、レジ装置９００を挟んで対面するレジ店員と顧客のそれぞれに見やすいようになっている。また、レジ店員用モニター４００の画面４１０は、顧客用モニター５００の画面５１０よりも大きいので、商品代金の精算に必要な細かい操作を行い易くなっている。
【００１６】
また、本体部２００の天板２２０上にはカードリーダー７００が設置されており、購入代金をクレジットカード等で精算できるようになっている。また、本体部２００にはハンドスキャナー６００が接続されており、スキャナー３００で読み取るのが難しい商品は、ハンドスキャナー６００を用いて読み取ることができる。なお、レジ店員用モニター４００及び顧客用モニター５００は、任意に設けるもので、レジ装置９００は、１つ又は３つ以上のモニターを備えても良い。また、ハンドスキャナー６００及びカードリーダー７００も、任意に設けるものである。
【００１７】
では次に、図２を参照して、レジ店員Ｐ１が商品をスキャンして、顧客Ｐ２から代金を受け取って精算する一般的な態様について説明する。なお、図２（ａ）は、レジ装置９００の平面図、図２（ｂ）は、レジ装置９００の側面図である。
【００１８】
図２に示すように、レジ店員Ｐ１は、顧客Ｐ２の買い物カゴから商品を順次取り出して、商品のバーコードをスキャナー３００の読取面３１０にかざし、商品の代金を読み取っていく。レジ店員用モニター４００の画面４１０は、レジ店員Ｐ１に向けられており、画面４１０上には、商品代金の精算に必要な任意の処理項目が表示されている。例えば、同じ商品が複数ある場合は、画面４１０上で商品の個数を入力することで、スキャナー３００による読み取り作業を省くことが出来る。他には、商品代金の割引処理を行う場合も、画面４１０上で割引額を入力することが出来る。
【００１９】
そして、全商品について読み取りが完了すると、顧客用モニター５００の画面５１０に支払い代金の総額が表示される。顧客用モニター５００の画面５１０は、顧客Ｐ２に向けられており、顧客Ｐ２が画面５１０を操作し易くなっている。例えば、顧客用モニター５００の画面５１０には、商品の代金以外にも、酒類を購入する際の年齢確認の項目を表示して、顧客に表示された項目をタッチしてもらうことができる。
【００２０】
次に、顧客Ｐ２は、顧客用モニター５００の画面５１０に表示された支払い代金をレジ店員Ｐ１に渡す。レジ店員Ｐ１は、代金を受け取ったら、代金に含まれる硬貨を硬貨投入口２１１に投入し、紙幣を紙幣投入口２１２に投入する。そして、本体部２００は、投入された硬貨と紙幣を内部に保管する。また、本体部２００は、投入された代金からお釣りが生じる場合は、そのお釣りを計算する。そして、お釣りに含まれる硬貨は硬貨排出口２１３から排出され、お釣りに含まれる紙幣は紙幣排出口２１４から排出される。次に、レジ店員Ｐ１は、排出されたお釣りを顧客Ｐ２に渡し、商品代金の精算作業は完了する。
【００２１】
では次に、図３を参照して、レジ店員Ｐ１が立ち会っておらず、顧客Ｐ２自身で商品をスキャンして代金を精算する態様、いわゆる、セルフレジの態様について説明する。なお、図３（ａ）は、レジ装置９００の平面図、図３（ｂ）は、レジ装置９００の側面図である。
【００２２】
図３に示すように、セルフレジの態様でレジ装置９００を使用する場合は、図２に示す状態から本体部２００を１８０度回転させる。具体的には、下側回転台１５０によって本体部２００を、台座１００上で１８０度回転させ、本体部２００の代金入出部２１０を顧客Ｐ２へ向くようにする。また、本体部２００上に設置されているレジ店員用モニター４００及び顧客用モニター５００も、本体部２００と共に１８０度回転するので、レジ店員用モニター４００が顧客Ｐ２側へ向いている。なお、本体部２００を１８０度回転させる際、上側回転台２５０が回転しないように、後述するように、上側回転台２５０はストッパーで固定されている。また、下側回転台１５０は、本体部２００を１８０度以上回転させないように構成されており、内部の配線の断線を防止している。また、下側回転台１５０は本体部２００が回転した姿勢を維持出来るように、ストッパー（不図示）を備えている。
【００２３】
レジ装置９００がセルフレジの態様に変更された状態で、顧客Ｐ２は、自身で、買い物カゴから商品を順次取り出して、商品のバーコードをスキャナー３００の読取面３１０にかざし、商品の代金を読み取っていく。レジ店員用モニター４００の画面４１０は、顧客Ｐ２に向けられており、画面４１０上には、商品代金の精算に必要な任意の処理項目が表示されている。
【００２４】
そして、全商品について読み取りが完了すると、レジ店員用モニター４００の画面４１０に支払い代金の総額が表示される。次に、顧客Ｐ２は、レジ店員用モニター４００の画面４１０に表示された支払い代金を代金入出部２１０に投入する。具体的には、代金に含まれる硬貨を硬貨投入口２１１に投入し、紙幣を紙幣投入口２１２に投入する。そして、本体部２００は、投入された硬貨と紙幣を内部に保管する。また、本体部２００は、投入された代金からお釣りが生じる場合は、そのお釣りを計算する。そして、お釣りに含まれる硬貨は硬貨排出口２１３から排出され、お釣りに含まれる紙幣は紙幣排出口２１４から排出される。次に、顧客Ｐ２は、排出されたお釣りを自身で取り出し、商品代金の精算作業は完了する。
【００２５】
このように、レジ装置９００の本体部２００を下側回転台１５０によって１８０度回転させるだけで、レジ装置９００はセルフレジの態様に柔軟に変更することができる。このセルフレジの態様は、レジ店員Ｐ１が不要で、顧客Ｐ２自身で商品の精算作業を完結出来るので、例えば、混雑時や深夜の時間帯等でレジ店員Ｐ１が不足している時に採用できる。
【００２６】
では次に、図４を参照して、レジ店員Ｐ１が商品に付されたバーコードをスキャンするものの、代金の精算は顧客Ｐ２自身が行う態様、いわゆる、セミセルフレジの態様について説明する。なお、図４（ａ）は、レジ装置９００の平面図、図４（ｂ）は、レジ装置９００の側面図である。
【００２７】
図４に示すように、セミセルフレジの態様でレジ装置９００を使用する場合は、図３に示す状態から上側回転台２５０を１８０度回転させる。すると、上側回転台２５０上に設置されたスキャナー３００とレジ店員用モニター４００はレジ店員Ｐ１側へ向く。一方、上側回転台２５０上に設置された顧客用モニター５００は、顧客Ｐ２へ向く。なお、上側回転台２５０は、１８０度以上回転しないように構成されており、内部の配線の断線を防止している。また、上側回転台２５０は回転した姿勢を維持出来るように、ストッパー（不図示）を備えている。
【００２８】
レジ装置９００がセミセルフレジの態様に変更された状態で、レジ店員Ｐ１は、顧客Ｐ２の買い物カゴから商品を順次取り出して、商品のバーコードをスキャナー３００の読取面３１０にかざし、商品の代金を読み取っていく。そして、全商品について読み取りが完了すると、顧客用モニター５００の画面５１０に支払い代金の総額が表示される。
【００２９】
次に、顧客Ｐ２は、顧客用モニター５００の画面５１０に表示された支払い代金を、自身で代金入出部２１０へ投入する。顧客Ｐ２は、代金に含まれる硬貨を硬貨投入口２１１に投入し、紙幣を紙幣投入口２１２に投入する。そして、本体部２００は、投入された硬貨と紙幣を内部に保管する。また、本体部２００は、投入された代金からお釣りが生じる場合は、そのお釣りを計算する。そして、お釣りに含まれる硬貨は硬貨排出口２１３から排出され、お釣りに含まれる紙幣は紙幣排出口２１４から排出される。次に、顧客Ｐ２は、排出されたお釣りを代金入出部２１０から自身で取り出し、商品代金の精算作業は完了する。
【００３０】
このように、レジ装置９００の上側回転台２５０を１８０度回転させれば、レジ装置９００はセミセルフレジの態様に柔軟に変更することができる。このセミセルフレジの態様は、顧客Ｐ２自身で代金の支払いを済ませられることから、レジ店員Ｐ１は商品の読み取りに専念でき、例えば、混雑時の時間帯等では、顧客Ｐ２が代金の支払いを行っている間に、レジ店員Ｐ１が次の顧客Ｐ２の商品の読み取りを始められるので、レジでの精算作業の効率が上がるのである。
【００３１】
なお、本考案のレジ装置は、上記の実施例に限定されず、実用新案登録請求の範囲に記載された範囲、実施形態の範囲で、種々の変形例、組み合わせが可能であり、これらの変形例、組み合わせもその権利範囲に含むものである。
【図１】
0003225440.tif 000003
【図２】
0003225440.tif 000004
【図３】
0003225440.tif 000005
【図４】
0003225440.tif 000006